(57)【要約】  【課題】  携帯電話の非接触ＩＣチップにインストールした電子マネー機能などに設定されている電子マネー会員番号と、ポイントサービスのポイント会員番号を効率よく対応付けること。  【解決手段】  非接触ＩＣチップを搭載した携帯電話７に電子マネーを処理する機能をインストールする。この際に、非接触ＩＣチップに電子マネー会員番号が書き込まれる。ユーザは、ユーザ端末からポイントサーバ１０のポイントサイトにアクセスし、ログインする。ユーザは、ポイントサイトから電子マネー会員番号を入力する。ポイントサーバ１０は、電子マネー会員番号とユーザのポイント会員番号の組合せを電子マネーサーバ２に送信する。電子マネーサーバ２は、ポイントサーバ１０から電子マネー会員番号とポイント会員番号を受信し、これらに紐付けを設定して記憶する。  【選択図】  図１
2006053933.tif 000002
【特許請求の範囲】
【請求項１】
所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え、
前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用する情報処理装置であって、
前記電子マネー処理機能を形成する前の携帯端末に前記電子マネー処理機能を形成するための所定のプログラムを送信するプログラム送信手段と、
前記送信した所定のプログラムを前記携帯端末で実行して形成された電子マネー処理機能に対応して設定された電子マネー機能ＩＤ情報を取得する電子マネー機能ＩＤ情報取得手段と、
前記携帯端末のユーザに設定されたポイントＩＤ情報を取得するポイントＩＤ情報取得手段と、
前記取得した電子マネー機能ＩＤ情報と前記取得したポイントＩＤ情報を対応付ける対応付け手段と、
前記ポイント管理装置から、ポイントのポイント数とポイントＩＤ情報を受信するポイント情報受信手段と、
前記受信したポイント数を所定の変換比率により電子マネーに変換し、前記変換した電子マネーを加算するコマンドを生成するコマンド生成手段と、
前記生成したコマンドを、前記受信したポイントＩＤ情報に前記対応付け手段で対応付けられた電子マネー機能ＩＤ情報で特定される携帯端末に送信するコマンド送信手段と、
を具備したことを特徴とする情報処理装置。
【請求項２】
前記対応付け手段は、単一のポイントＩＤ情報に対し、複数の電子マネー機能ＩＤ情報を対応付けることができ、
前記単一のポイントＩＤ情報で管理されるポイントを変換した電子マネーを加算する携帯端末を、前記単一のポイントＩＤ情報に対応付けた複数の電子マネー機能ＩＤ情報で特定される携帯端末から選択できることを特徴とする請求項１に記載の情報処理装置。
【請求項３】
電子マネーの利用に応じてポイントを発行するポイント発行手段を備え、
前記ポイント管理装置は、前記複数の電子マネー機能ＩＤ情報で特定される携帯端末での電子マネーの利用により発行されたポイントを前記単一のポイントＩＤ情報で管理し、
前記複数の電子マネー機能ＩＤ情報で特定される携帯端末での電子マネーの利用により、前記ポイント発行手段で発行されたポイントを、当該携帯端末の電子マネー機能ＩＤ情報に対応付けられたポイントＩＤ情報と共に前記ポイント管理装置に提供することを特徴とする請求項２に記載の情報処理装置。
【請求項４】
請求項１に記載の情報処理装置にポイントＩＤ情報と電子マネー機能ＩＤ情報を提供する情報提供装置であって、
ポイントＩＤ情報を取得するポイントＩＤ情報取得手段と、
電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信手段と、
前記送信した読み取りプログラムを前記携帯端末で実行することにより、前記携帯端末が送信した電子マネー機能ＩＤ情報を受信する電子マネー機能ＩＤ情報受信手段と、
前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供することを特徴とする情報提供装置。
【請求項５】
所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え、
前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用するコンピュータで行う処理であって、
前記コンピュータは、プログラム送信手段と、電子マネー機能ＩＤ情報取得手段と、ポイントＩＤ情報取得手段と、対応付け手段と、ポイント情報受信手段と、コマンド生成手段と、コマンド送信手段と、を備え、
前記プログラム送信手段によって、前記電子マネー処理機能を形成する前の携帯端末に前記電子マネー処理機能を形成するための所定のプログラムを送信するプログラム送信ステップと、
前記電子マネー機能ＩＤ情報取得手段によって、前記送信した所定のプログラムを前記携帯端末で実行して形成された電子マネー処理機能に対応して設定された電子マネー機能ＩＤ情報を取得する電子マネー機能ＩＤ情報取得ステップと、
前記ポイントＩＤ情報取得手段によって、前記携帯端末のユーザに設定されたポイントＩＤ情報を取得するポイントＩＤ情報取得ステップと、
前記対応付け手段によって、前記取得した電子マネー機能ＩＤ情報と前記取得したポイントＩＤ情報を対応付ける対応付けステップと、
前記ポイント情報受信手段によって、前記ポイント管理装置から、ポイントのポイント数とポイントＩＤ情報を受信するポイント情報受信ステップと、
前記コマンド生成手段によって、前記受信したポイント数を所定の変換比率により電子マネーに変換し、前記変換した電子マネーを加算するコマンドを生成するコマンド生成ステップと、
前記コマンド送信手段によって、前記生成したコマンドを、前記受信したポイントＩＤ情報に前記対応付け手段で対応付けられた電子マネー機能ＩＤ情報で特定される携帯端末に送信するコマンド送信ステップと、
から構成されたことを特徴とする情報処理方法。
【請求項６】
請求項１に記載の情報処理装置にポイントＩＤ情報と電子マネー機能ＩＤ情報を提供するコンピュータで構成された情報提供装置で行う処理であって、
前記コンピュータは、ポイントＩＤ情報取得手段と、読み取りプログラム送信手段と、電子マネー機能ＩＤ情報受信手段と、提供手段と、を備え、
前記ポイントＩＤ情報取得手段によって、ポイントＩＤ情報を取得するポイントＩＤ情報取得ステップと、
前記読み取りプログラム送信手段によって、電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信ステップと、
前記電子マネー機能ＩＤ情報受信手段によって、前記送信した読み取りプログラムを前記携帯端末で実行することにより、前記携帯端末が送信した電子マネー機能ＩＤ情報を受信する電子マネー機能ＩＤ情報受信ステップと、
前記提供手段によって、前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供する提供ステップと、
から構成されたことを特徴とする情報提供方法。
【発明の詳細な説明】
【技術分野】
【０００１】
本発明は、情報処理装置、情報提供装置、情報処理方法、及び情報提供方法に関し、例えば、事業者がサービスとして発行したポイントを電子マネーに変換するものなどに関する。
【背景技術】
【０００２】
近年ＩＣカードを用いた電子マネーの流通が活発になってきた。これは、バリューと呼ばれる貨幣価値をＩＣカードに記憶させ、このバリューの増減により、貨幣価値の移動を生じさせるものである。
ＩＣカードは、電子マネー機能を発揮させるプログラムやバリューを記憶する記憶機能と演算機能を組み込んだＩＣチップを備えており、電子マネー端末などから加算コマンド、減算コマンドなどを入力することにより、所定金額分のバリューをＩＣカードにおいて加算したり減算したりすることができる。
【０００３】
このため、例えば、ユーザから金銭を受領して、当該金銭の金額分のバリューをＩＣカードに加算することによりＩＣカードにバリューを蓄積することができ、ユーザが買い物をした場合に決済金額分のバリューをＩＣカードから減算することにより決済を行うことができる。
このようなプリペイド方式の電子マネーシステムを導入することにより、バリューを貨幣の代用として使用することができる。
【０００４】
また、ＩＣカードには、接触型のものと非接触型のものが存在し、主に非接触式のものが使用されている。
非接触型ＩＣカードには、非接触ＩＣチップに接続するアンテナが内蔵されており、ＩＣカードは、このアンテナを介して電子マネー端末と近距離の無線通信を行うことができる。また、ＩＣカードを駆動するための電力も電子マネー端末から無線により送信される。
【０００５】
また、最近、非接触型ＩＣカードの非接触ＩＣチップを携帯電話に埋め込み、携帯電話に非接触型ＩＣカードの機能を持たせることが試みられている。
携帯電話に非接触ＩＣチップを埋め込むことにより、携帯電話でバリューを管理することができる。
これにより、携帯電話を電子マネー端末に近づけて、非接触ＩＣチップと電子マネー端末を通信させることにより、バリューの加算、及び減算を行うことができる。
更に、携帯電話がインターネット接続機能を有する場合は、携帯電話をインターネットに接続し、インターネット経由で非接触ＩＣチップにバリューを加算、及び減算することも可能である。
このような携帯電話を用いた電子マネー決済システムとしては、次のものがある。
【特許文献１】特開２００２−３５２１７３公報
【０００６】
一方、ある事業を営む事業者が、顧客サービスの一環として、顧客にポイントを発行することが広く行われている。
例えば、電気製品の量販店が、顧客の購入価格に応じたポイントを発行し、顧客は、当該量販店において、蓄積したポイントにて決済することが可能である。
ユーザには、ポイント会員番号が記録されたポイントカードが発行され、ポイント加算、及び減算は、このポイント会員番号を用いてサーバにて行われている。
このようなポイントサービスを顧客に提供することにより、顧客は、安く商品を入手することができると共に、事業者側は顧客を囲い込むことができる。
【０００７】
更に最近、一枚のＩＣカードに電子マネーを処理する機能と、ポイントカードとしての機能（ポイント会員番号を記憶し、店舗の端末でこれを読み取らせる）を埋め込んだものが使用されるようになってきた。
これは、電子マネー事業者とポイントを発行する事業者（以下、ポイント事業者）が提携し、蓄積したポイントをバリューに変換したり、あるいはバリューの利用金額に応じてポイントを発行したりなどするものである。
この場合、ＩＣカードの製造時にＩＣカードに予め電子マネー会員番号とポイント会員番号を埋め込んでおくことにより、電子マネー番号とポイント会員番号をひも付け（対応付け）、この電子マネー会員番号とポイント会員番号の対応により、バリューとポイントの融通を図っている。
【発明の開示】
【発明が解決しようとする課題】
【０００８】
携帯電話に搭載した非接触ＩＣチップには、ユーザが携帯電話を購入した時点では、基本的な機能を実現するプログラムは格納されているが、電子マネー機能を実現するなどのアプリケーションプログラムは、実装されていない。
そのため、ユーザは、携帯電話購入後、インターネットなどを介して携帯電話へ電子マネー機能を実現するための発券プログラム（電子マネーを処理する機能を携帯電話の非接触ＩＣチップに組み込むプログラム）をダウンロードしてインストールする。
又は、携帯電話がユーザに渡る前に、携帯電話販売店などの事業者がインストールすることも考えられる。
このように、携帯電話に非接触ＩＣチップを搭載する場合、後から発券プログラムをインストールするため、ユーザが所有するポイントカードのポイント会員番号と、電子マネー会員番号をどのようにひも付けるかという問題があった。
【０００９】
そこで、本発明の目的は、携帯電話の非接触ＩＣチップにインストールした電子マネー機能などに設定されている電子マネー会員番号（電子マネー機能ＩＤ情報）と、ポイントサービスのポイント会員番号（ポイントＩＤ情報）を効率よく対応付けることである。
【課題を解決するための手段】
【００１０】
本発明は、前記目的を達成するために、請求項１に記載の発明では、所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え（即ち、ポイント管理装置と携帯端末に対して通信機能を備え）、前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用する情報処理装置であって、前記電子マネー処理機能を形成する前の携帯端末に前記電子マネー処理機能を形成するための所定のプログラムを送信するプログラム送信手段と、前記送信した所定のプログラムを前記携帯端末で実行して形成された電子マネー処理機能に対応して設定された電子マネー機能ＩＤ情報を取得する電子マネー機能ＩＤ情報取得手段と、前記携帯端末のユーザに設定されたポイントＩＤ情報を取得するポイントＩＤ情報取得手段と、前記取得した電子マネー機能ＩＤ情報と前記取得したポイントＩＤ情報を対応付ける対応付け手段と、前記ポイント管理装置から、ポイントのポイント数とポイントＩＤ情報を受信するポイント情報受信手段と、前記受信したポイント数を所定の変換比率により電子マネーに変換し、前記変換した電子マネーを加算するコマンドを生成するコマンド生成手段と、前記生成したコマンドを、前記受信したポイントＩＤ情報に前記対応付け手段で対応付けられた電子マネー機能ＩＤ情報で特定される携帯端末に送信するコマンド送信手段と、を具備したことを特徴とする情報処理装置を提供する。
請求項２に記載の発明では、前記対応付け手段は、単一のポイントＩＤ情報に対し、複数の電子マネー機能ＩＤ情報を対応付けることができ、前記単一のポイントＩＤ情報で管理されるポイントを変換した電子マネーを加算する携帯端末を、前記単一のポイントＩＤ情報に対応付けた複数の電子マネー機能ＩＤ情報で特定される携帯端末から選択できることを特徴とする請求項１に記載の情報処理装置を提供する。
請求項３に記載の発明では、電子マネーの利用に応じてポイントを発行するポイント発行手段を備え、前記ポイント管理装置は、前記複数の電子マネー機能ＩＤ情報で特定される携帯端末での電子マネーの利用により発行されたポイントを前記単一のポイントＩＤ情報で管理し、前記複数の電子マネー機能ＩＤ情報で特定される携帯端末での電子マネーの利用により、前記ポイント発行手段で発行されたポイントを、当該携帯端末の電子マネー機能ＩＤ情報に対応付けられたポイントＩＤ情報と共に前記ポイント管理装置に提供することを特徴とする請求項２に記載の情報処理装置を提供する。
請求項４に記載の発明では、請求項１に記載の情報処理装置にポイントＩＤ情報と電子マネー機能ＩＤ情報を提供する情報提供装置であって、ポイントＩＤ情報を取得するポイントＩＤ情報取得手段と、電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信手段と、前記送信した読み取りプログラムを前記携帯端末で実行することにより、前記携帯端末が送信した電子マネー機能ＩＤ情報を受信する電子マネー機能ＩＤ情報受信手段と、前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供することを特徴とする情報提供装置を提供する。
請求項５に記載の発明では、所定の商品と交換可能な交換価値として使用できるポイントの蓄積、及び使用を、ポイントの付与対象であるユーザに設定されたポイントＩＤ情報ごとに管理するポイント管理装置と、貨幣価値の金額を表した電子情報であって、前記金額の増減により貨幣価値の移動を生じさせる電子マネーを記憶し、所定のコマンドを実行して前記記憶した電子マネーの金額を加減算する電子マネー処理機能を備え、前記電子マネー処理機能に対応して設定された電子マネー機能ＩＤ情報により特定可能な携帯端末と、に対して通信機能を備え、前記ポイントＩＤ情報と前記電子マネー機能ＩＤ情報の対応を記憶し、前記記憶したポイントＩＤ情報で管理されるポイントと、電子マネー機能ＩＤ情報で特定される携帯端末に記憶されている電子マネーの変換を行う情報処理システムで使用するコンピュータで行う処理であって、前記コンピュータは、プログラム送信手段と、電子マネー機能ＩＤ情報取得手段と、ポイントＩＤ情報取得手段と、対応付け手段と、ポイント情報受信手段と、コマンド生成手段と、コマンド送信手段と、を備え、前記プログラム送信手段によって、前記電子マネー処理機能を形成する前の携帯端末に前記電子マネー処理機能を形成するための所定のプログラムを送信するプログラム送信ステップと、前記電子マネー機能ＩＤ情報取得手段によって、前記送信した所定のプログラムを前記携帯端末で実行して形成された電子マネー処理機能に対応して設定された電子マネー機能ＩＤ情報を取得する電子マネー機能ＩＤ情報取得ステップと、前記ポイントＩＤ情報取得手段によって、前記携帯端末のユーザに設定されたポイントＩＤ情報を取得するポイントＩＤ情報取得ステップと、前記対応付け手段によって、前記取得した電子マネー機能ＩＤ情報と前記取得したポイントＩＤ情報を対応付ける対応付けステップと、前記ポイント情報受信手段によって、前記ポイント管理装置から、ポイントのポイント数とポイントＩＤ情報を受信するポイント情報受信ステップと、前記コマンド生成手段によって、前記受信したポイント数を所定の変換比率により電子マネーに変換し、前記変換した電子マネーを加算するコマンドを生成するコマンド生成ステップと、前記コマンド送信手段によって、前記生成したコマンドを、前記受信したポイントＩＤ情報に前記対応付け手段で対応付けられた電子マネー機能ＩＤ情報で特定される携帯端末に送信するコマンド送信ステップと、から構成されたことを特徴とする情報処理方法を提供する。
請求項６に記載の発明では、請求項１に記載の情報処理装置にポイントＩＤ情報と電子マネー機能ＩＤ情報を提供するコンピュータで構成された情報提供装置で行う処理であって、前記コンピュータは、ポイントＩＤ情報取得手段と、読み取りプログラム送信手段と、電子マネー機能ＩＤ情報受信手段と、提供手段と、を備え、前記ポイントＩＤ情報取得手段によって、ポイントＩＤ情報を取得するポイントＩＤ情報取得ステップと、前記読み取りプログラム送信手段によって、電子マネー処理機能を備えた携帯端末に、当該電子マネー処理機能に対応して設定された電子マネー機能ＩＤ情報を読み取って所定の送信先に送信する読み取りプログラムを送信する読み取りプログラム送信ステップと、前記電子マネー機能ＩＤ情報受信手段によって、前記送信した読み取りプログラムを前記携帯端末で実行することにより、前記携帯端末が送信した電子マネー機能ＩＤ情報を受信する電子マネー機能ＩＤ情報受信ステップと、前記提供手段によって、前記取得したポイントＩＤ情報を前記情報処理装置のポイントＩＤ情報取得手段に提供し、前記受信した電子マネー機能ＩＤ情報を前記情報処理装置の電子マネー機能ＩＤ情報取得手段に提供する提供ステップと、から構成されたことを特徴とする情報提供方法を提供する。
【発明の効果】
【００１１】
本発明によると、電子マネー機能ＩＤ情報とポイントＩＤ情報を効率よく対応付けることができる。
【発明を実施するための最良の形態】
【００１２】
［実施の形態の概要］
ユーザは、非接触ＩＣチップを搭載した携帯電話を購入後、携帯電話をインターネットに接続し、発券プログラムをダウンロードする。
そして、この発券プログラムを携帯電話にて実行し、非接触ＩＣチップに電子マネーを処理する機能をインストールする。この際に、非接触ＩＣチップに電子マネー会員番号が書き込まれ、また、バリューの加減算に関するログデータを管理する電子マネーサーバにおいても、当該電子マネー会員番号がログデータの管理対象として追加される。
【００１３】
次に、ユーザは、ユーザ端末からポイント事業者がポイントサーバを用いてインターネット上に開設しているポイントサイトにアクセスし、ログインする。
ユーザは、既にポイント会員となっており、ユーザがユーザＩＤやパスワードなどの認証情報をポイントサイトに入力することにより、ポイントサーバは、ユーザのポイント会員番号を特定することができる。
【００１４】
携帯電話の非接触ＩＣチップに設定された電子マネー会員番号は携帯電話のディスプレイで表示することができ、ユーザは、これを参照して、ポイントサイトから電子マネー会員番号を入力する。
ポイントサーバは、このようにして電子マネー会員番号をユーザから取得し、この電子マネー会員番号とユーザのポイント会員番号の組合せを電子マネーサーバに送信する。
【００１５】
電子マネーサーバは、ポイントサーバから電子マネー会員番号とポイント会員番号を受信し、これらにひも付けを設定して記憶する。
以上のようにして電子マネー会員番号とポイント会員番号をひも付けることにより、ユーザが蓄積しているポイントをバリューに変換したり、あるいはユーザが使用したバリューに応じたポイントを発行したりなど、バリューとポイントを関連づけたサービスをユーザに提供することができる。
【００１６】
［実施の形態の詳細］
図１は、本実施の形態の情報処理システム１の構成を模式的に表したブロック図である。
情報処理システム１は、電子マネーに関する情報処理を行うための電子マネーサーバ２、電子マネー端末８、携帯電話７、基地局５、インターネット４などと、ポイントに関する情報処理を行うポイントサーバ１０、ポイント端末１１などが接続されて構成されている。
ＩＣカード９は、ポイントカードとしての機能と、電子マネーによるバリューの処理を行う機能とを併せ持っている。ＩＣカード９と携帯電話７は、同じユーザが所有している。
【００１７】
なお、携帯電話７やＩＣカード９に内蔵されている非接触ＩＣチップは、ＣＰＵ（Ｃｅｎｔｒａｌ  Ｐｒｏｃｅｓｓｉｎｇ  Ｕｎｉｔ）などの演算装置や記憶装置などを備えた一種のコンピュータであり、また、非接触ＩＣチップは通信機能も備えており、このため、携帯電話７、及びＩＣカード９は携帯端末を構成している。
【００１８】
携帯電話７は、インターネット接続機能を有する他、電子マネーカード用途に応用できる非接触ＩＣチップを内蔵しており、電子マネー端末８と通信してバリューの加算（チャージと呼ばれる）、及び減算（決済という）を行うことができる。
なお、バリューとは、電子マネーの運用において貨幣に該当する概念であって、貨幣価値の金額を電子情報として表した貨幣情報である。
バリューを発行する際に、対応する金額の貨幣をユーザから徴収し、バリューで決済を行った店舗（以下、加盟店）に、決済金額に応じてこれを分配することにより、バリューと実貨幣との対応をとっている。
なお、本実施の形態では、携帯電話７を用いて説明するが、この他に、例えば、ＰＤＡ（Ｐｅｒｓｏｎａｌ  Ｄｉｇｉｔａｌ  Ａｓｓｉｓｔａｎｔ）などの携帯端末装置を携帯電話７の代わりに用いても良い。
【００１９】
なお、本実施の形態では、携帯電話７に非接触ＩＣチップが内蔵されているものとしたが、この他に、ＳＩＭカード方式などで、非接触ＩＣチップを携帯電話７から着脱可能に構成することも可能である。
この場合にも電子マネーサーバ２は、後述の発券プログラムを携帯電話７に送信し、携帯電話７に装着された非接触ＩＣチップに電子マネー機能部を組み込むことができる。
この組み込みにより、後述の電子マネー会員番号は、着脱式の非接触ＩＣチップに記憶される。そのため、電子マネー機能部を組み込んだ非接触ＩＣチップを携帯電話７から他の携帯電話に付け替えた場合、付け替え先の携帯電話が新たに携帯電話７として機能する。
【００２０】
ＩＣカード９は、非接触型ＩＣチップと、電子マネー端末８、及びポイント端末１１と通信するためのアンテナを内蔵しており、ポイント端末１１や電子マネー端末８と近距離の無線通信を行うことができる。
ＩＣカード９は、ポイント端末１１に対してはポイント会員番号を提供し、ポイントサーバ１０は、このポイント会員番号を対象にポイント加算、及び減算を行う。
【００２１】
また、ＩＣカード９は、電子マネー端末８から加算コマンドや減算コマンドを受信して携帯電話７と同様にバリューの加算、及び減算を行うことができる。
ＩＣカード９内の非接触型ＩＣチップを駆動するための電力は、電子マネー端末８やポイント端末１１から無線により供給される。
【００２２】
なお、ＩＣカード９は、ポイント機能のみを備えていても良いが、本実施の形態では、ユーザの利便性を増すために、一枚のカードにポイント機能と電子マネー機能の両方を持たせることとした。
このため、ＩＣカード９は、ポイント会員番号と、電子マネー会員番号の両方を同一の非接触ＩＣチップに記憶している。また、ポイント機能と電子マネー機能を別の非接触ＩＣチップで構成することも可能である。
【００２３】
更に、本実施の形態では、非接触ＩＣチップにポイント会員番号が記憶されているものとするが、この他に、例えば、ＩＣカード９に形成された磁気ストライプにポイント会員番号を記憶し、これを磁気ヘッドを備えたポイント端末１１で読み取るように構成したり、エンボス（凹凸印刷）によりＩＣカード９に表示するように構成しても良い。これらの場合、非接触ＩＣチップにポイント機能を持たせる必要がない。
【００２４】
基地局５は、携帯電話７と無線通信することができ、携帯電話７を電話回線網６、又はインターネット４に接続する。
電話回線網６は、いわゆる公衆回線網であり、電話機やファックスなどの端末装置を相互に接続することができる。携帯電話７を電話回線網６に接続することにより、基地局５は、ユーザに通話サービスを提供することができる。
【００２５】
インターネット４は、サーバ装置や端末装置などを接続するネットワークである。インターネット４では、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのプロトコルが用いられる。
インターネット４には、各種のサービスを提供するサーバ装置が接続されており、携帯電話７をインターネット４に接続することにより、基地局５は、ユーザにインターネット４上で提供されているサービスを利用させることができる。
【００２６】
電子マネーサーバ２は、電子マネー事業者が設置したサーバ装置であり、バリューの発行状況や使用状況に関する情報を収集し、これを用いて電子マネー業務を運営するための各種情報処理を行う。
また、電子マネーサーバ２は、インターネット４に接続しており、電子マネーに関する各種サービスをインターネット４上で提供している。
【００２７】
本実施の形態では、電子マネーサーバ２は、インターネット４を経由して携帯電話７に発券プログラム（ＩＣカード９に搭載された非接触ＩＣチップに電子マネー機能を組み込むプログラム）を提供する他、電子マネーサーバ２に開設した電子マネーサイトにおいて各種のサービスを提供している。
また、電子マネーサイトは、例えば、パーソナルコンピュータなどで構成されたユーザ端末からアクセスすることもできる。
【００２８】
更に、詳細は後述するが、電子マネーサーバ２は、ＩＣカード９での電子マネー会員番号とポイント会員番号を対応付けて記憶している他、このポイント会員番号に携帯電話７に設定されている電子マネー会員番号をひも付けて記憶している。
電子マネー会員番号は、携帯電話７やＩＣカード９などの電子マネー機能部に対して設定され、これら電子マネー機能部が配設された携帯端末を特定するために設定されたＩＤ情報であり、電子マネー機能ＩＤ情報を構成している。
電子マネーサーバ２は、ポイントサーバ１０と通信し、これらひも付けによる対応関係を用いて、ポイントサーバ１０で管理している当該ユーザのポイントをバリューに変換（換算）したり、あるいは、ユーザが使用したバリューに応じたポイントをポイントサーバ１０が発行することができる。
【００２９】
また、ユーザがＩＣカード９のバリューを用いて決済を行った場合は、ＩＣカード９の電子マネー会員番号がポイント発行対象となり、携帯電話７のバリューを用いて決済を行った場合は、携帯電話７の電子マネー会員番号がポイント発行対象となるが、これら電子マネー会員番号のひも付けを用いて、電子マネーサーバ２は、これらポイントを別々に処理することもできるし、統合して処理することもできる。
【００３０】
電子マネー端末８は、店舗などに設置された非接触ＩＣカードアクセス用の端末装置であり、電子マネー業務用に構成された専用機である。
電子マネー端末８は、アンテナを内蔵したリーダライタを備えており、このアンテナで電波を送受信することにより、携帯電話７の電子マネー機能部１６、ＩＣカード９の電子マネー機能部１９と近距離間の無線通信を行うことができる。
電子マネー端末８は、携帯電話７やＩＣカード９と無線通信してこれらにバリューを書き込んだり、あるいはバリューを減算して決済を行ったりする。
【００３１】
電子マネー端末８は、通信回線により電子マネーサーバ２に接続されており、電子マネー端末８が携帯電話７やＩＣカード９に対して行ったバリュー処理に関する情報を電子マネーサーバ２に送信する。この送信処理は、リアルタイムで行うことも可能であるが、本実施の形態では、ある程度情報を蓄積しておき、これらをまとめてバッチ処理にて電子マネーサーバ２に送信するように構成した。
そのため、電子マネー端末８は、携帯電話７やＩＣカード９と通信してバリューを処理する際に電子マネーサーバ２にアクセスする必要が無く、バリュー処理を高速に行うことができる。
【００３２】
ポイントサーバ１０は、ポイント事業者が設置したサーバ装置であり、各ポイント会員毎にポイントを発行して蓄積したり、ユーザがポイントを利用した場合は、そのユーザの蓄積したポイントを減算したりなど、ポイント業務を運営するための各種情報処理を行う。
各ポイント会員に発行したポイント会員番号は、ポイント付与対象であるユーザを特定するＩＤ情報でり、ポイントＩＤ情報を構成している。
【００３３】
また、図示しないが、ポイントサーバ１０は、インターネット４に接続しており、ポイントに関する各種サービスをインターネット４上のポイントサイトにて提供している。
ユーザは、ユーザ端末装置からポイントサイトにアクセスし、自己に設定されているユーザＩＤ、パスワードを入力してログインすることができる。
そして、ポイントサイトにて現在のポイント残高を参照したり、現在蓄積しているポイントをバリューに変換する変換申請を行ったりすることができる。
また、ポイントサーバ１０と電子マネーサーバ２は、通信回線によって接続可能に配設されている。
【００３４】
ポイント端末１１は、ポイント事業者の店舗などに設置された非接触ＩＣカードアクセス用の端末装置であり、ポイント業務用に構成された専用機である。
ポイント端末１１の構成は、電子マネー端末８と同様であり、アンテナを内蔵したリーダライタで電波を送受信することにより、ＩＣカード９と近距離間の無線通信を行って、ポイント会員番号やその他の情報を読み取る。
【００３５】
ポイント端末１１は、通信回線によりポイントサーバ１０に接続されており、ポイント端末１１は、これら読み取った情報やポイントの加算数、又はポイントの減算数などの情報をポイントサーバ１０に送信することができる。
これによってポイントサーバ１０は、ポイント業務に関する各種の情報処理を行うことができる。
このように、ポイントに関しては、ポイントサーバ１０とリアルタイムで通信し、ポイントサーバ１０でポイントの管理を行う。
【００３６】
図２は、携帯電話７の機能的な構成を模式的に表したブロック図である。
携帯電話７は、電話機能部１５と、電子マネー機能部１６がインターフェースで接続されて構成されている。
電話機能部１５は、基地局５と無線通信して電話による通話機能とインターネット接続機能を発揮する機能部であり、携帯電話７に本来備わっている機能部である。
ユーザは、携帯電話７の操作ボタンを操作したりなどして、通話モードとインターネットモードを選択することができる。
【００３７】
携帯電話７がインターネットで機能する場合、インターネット４上に開設した各種のサイトにアクセスし、これらサイトの提供する各種サービスを利用することができる。
携帯電話７から電子マネーサーバ２の開設する電子マネーサイトやポイントサーバ１０の開設するポイントサイトにアクセスすることもできる。
これにより、例えば、携帯電話７から電子マネーサイトにアクセスして発券プログラムをダウンロードし、これを実行して非接触ＩＣチップに電子マネー機能部１６を形成することができる。
【００３８】
また、電子マネーサーバ２は、電子マネー会員番号をＩＣカード９、携帯電話７などの端末毎に発行し、この電子マネー会員番号を用いて端末毎のバリューに関するログデータを管理しているが、携帯電話７に電子マネー機能部１６を組み込む場合、発券プログラムに予め電子マネー会員番号を含めておくか、あるいは電子マネー機能部１６を組み込んだ後、電子マネーサイトにアクセスして電子マネー会員番号を得るなどして、電子マネー機能部１６に固有の電子マネー会員番号を記憶させる。
【００３９】
電子マネー機能部１６は、電子マネーに関する処理を行う機能部であり、非接触ＩＣチップを用いて構成されている。また、電子マネー端末８と無線通信を行うためのアンテナも備えている。
この非接触ＩＣチップは、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）などで構成された不揮発性の読み書き可能な記憶媒体や、ＣＰＵ（Ｃｅｎｔｒａｌ  Ｐｒｏｃｅｓｓｉｎｇ  Ｕｎｉｔ）、その他、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）を備えたコンピュータである。
【００４０】
非接触ＩＣチップには、アプリケーションプログラムをインストールすることにより、各種の機能を発揮させることができ、本実施の形態では、発券プログラムを用いて、電子マネー処理機能をインストールする。
これによって、携帯電話７をＩＣカード９と同様に使用することができ、バリューの加減算を行うことができる。
【００４１】
より詳細に述べると、電子マネー機能部１６の記憶装置にはバリューの残高や、バリューの加算や減算の記録を行うログデータを記憶できるようになっている。
そして、金額情報がパラメータとして付属した加算コマンドや減算コマンドを電子マネー機能部１６に入力して、ＣＰＵでこれを実行し、バリューを加算したり減算したりすることができる。
加算コマンドや減算コマンドは、電子マネー端末８から無線で直接電子マネー機能部１６に入力しても良いし、あるいは、電話機能部１５を介してインターネット４経由で電子マネーサーバ２から入力しても良い。
【００４２】
図３は、ＩＣカード９の機能的な構成を模式的に表したブロック図である。
ＩＣカード９は、携帯電話７と同様の非接触ＩＣチップとアンテナを内蔵したプラスチック製のカードであり、アプリケーションプログラムをインストールすることにより各種の機能を発揮させることができる。
本実施の形態では、ポイント機能部１８と電子マネー機能部１９が形成されており、それぞれの機能部には、ポイント業務で利用する固有のＩＤ情報であるポイント会員番号と、電子マネー業務で利用する固有のＩＤ情報である電子マネー会員番号が記憶されている。
【００４３】
ＩＣカード９をポイントカードとして使用する場合は、ＩＣカード９をポイント端末１１にかざして、ポイント端末１１にポイント会員番号を読み取らせる。
なお、ＩＣカード９が磁気ストライプを備え、ポイント会員番号を磁気ストライプに記憶している場合は、ポイント端末１１に磁気ヘッドを備え、ポイント会員番号を読み取る。
更に、店舗の担当者は、ポイントを加算するのか、あるいはポイントを使用して決済を行うのかをユーザに問い合わせ、加算する場合は加算するポイント数を、減算する場合は、減算するポイント数を先に読み取ったポイント会員番号と共にポイントサーバ１０に送信する。
ポイントサーバ１０では、ポイント会員番号毎に各ユーザのポイントを管理しており、店舗から送信されてきた情報に基づいてポイントを精算する。
【００４４】
ＩＣカード９を電子マネーカードとして使用する場合は、ＩＣカード９を電子マネー端末８にかざし、電子マネー端末８とＩＣカード９を通信可能な状態にセットする。
そして、店舗の担当者が電子マネー端末８を操作して、金額情報などがパラメータとして付属した加算コマンド、又は減算コマンドをＩＣカード９に入力する。
【００４５】
ＩＣカード９では、ＣＰＵがこれら加算コマンドや減算コマンドを実行し、非接触ＩＣチップに内蔵された記憶装置に記憶されているバリューの残高を金額情報で特定される金額分だけ加算、又は減算する。
この際に、電子マネー端末８は、ＩＣカード９から電子マネー会員番号を読み取り、ＩＣカード９で行った処理に関する情報と共にログデータとして一時記憶する。そして、後ほどバッチ処理にてこれらログデータを電子マネーサーバ２に送信する。
【００４６】
なお、ポイント機能部１８と、電子マネー機能部１９は、ＩＣカード９の製造工程において、ＩＣカード９に予め組み込むようになっており、ＩＣカード９の製造業者は、ＩＣカード９に組み込んだポイント会員番号と電子マネー会員番号の組合せを電子マネー事業者に通知するようになっている。
電子マネー事業者は、ＩＣカード９の製造業者から受け取ったポイント会員番号と電子マネー会員番号をひも付けて電子マネーサーバ２に記憶させる。
【００４７】
以上のように、本実施の形態では、ポイントは、ポイントサーバ１０で蓄積・管理し、バリューは、ＩＣカード９、携帯電話７で蓄積・管理し、電子マネーサーバ２は、バリュー処理に関するログデータを管理する。
【００４８】
図４は、電子マネーサーバ２の機能的な構成を模式的に表したブロック図である。
電子マネーサーバ２は、発券部２１、ひも付け部２２、バリュー・ポイント計算部２３、取り引き処理部２４などの各機能部の他、ユーザ情報データベース２７、取り引き情報データベース２８などのデータベースを備えている。
【００４９】
発券部２１は、携帯電話７に対して発券プログラムを送信し、携帯電話７に電子マネー機能を持たせる機能部である。なお、携帯電話７の非接触ＩＣチップに電子マネー機能を組み込む処理を発券と呼ぶ。
発券部２１は、発券に際して、ユーザ情報データベース２７を更新し、携帯電話７に設定された電子マネー会員番号を新たなログデータ処理対象としてユーザ情報データベース２７に登録する。
【００５０】
ひも付け部２２は、先に、ＩＣカード９の製造業者から通知され、電子マネーサーバ２（ユーザ情報データベース２７）に記憶しているポイント会員番号（電子マネー会員番号と組を成す）に、更に携帯電話７に割り当てられている電子マネー会員番号をひも付ける機能部である。
以降、必要に応じて、ＩＣカード９に記憶されている電子マネー会員番号を電子マネー会員番号（カード）と記し、携帯電話７に記憶されている電子マネー会員番号を電子マネー会員番号（携帯）と記し、互いに区別することにする。
【００５１】
バリュー・ポイント計算部２３は、ポイントサーバ１０と連携してバリューとポイントが関連する情報を処理する機能部であり、ポイントサーバ１０に蓄積されたポイントをバリューに変換したり、あるいは、ユーザが利用したバリューに応じてポイントを発行したりする。
取り引き処理部２４は、電子マネー端末８からログデータを受信し、取り引き情報データベース２８を更新し、ログデータを管理する機能部である。
【００５２】
また、インターネット４を経由して携帯電話７の電子マネー機能部１６でバリューの加算や減算を行う場合は、加算コマンドや減算コマンドを生成し、携帯電話７に送信し、その記録をログデータとして取り引き情報データベース２８に記録する。
また、取り引き処理部２４は、パーソナルコンピュータなどで構成されたユーザ端末からインターネット４を介して電子マネーサーバ２の電子マネーサイトにアクセスし、ＩＣカード９や携帯電話７にバリューを加算したり減算したりすることも可能である。
この場合、ユーザ端末に非接触ＩＣカードを読み書きするリーダライタを接続し、これにＩＣカード９や携帯電話７をセットする。
そして、取り引き処理部２４が加算コマンドや減算コマンドをユーザ端末に送信し、ユーザ端末からリーダライタを介して、これらコマンドをＩＣカード９や携帯電話７に入力する。
【００５３】
ユーザ情報データベース２７は、ＩＣカード９や携帯電話７、その他情報処理システム１を利用するユーザに関する情報を記憶したデータベースである。
ユーザ情報データベース２７は、ユーザを電子マネー会員番号を用いて管理しており、ユーザの氏名、住所、電子メールアドレスなど、ユーザの個人情報を管理している。
【００５４】
ユーザがＩＣカード９を使用する場合は、電子マネー会員番号（カード）に対応するポイント管理番号が存在するので、ユーザ情報データベース２７は、これらをひも付けて管理している。
そして、ＩＣカード９を利用することによるログデータは、電子マネー会員番号（カード）を用いて管理されている。
【００５５】
ユーザが携帯電話７を使用する場合、携帯電話７の電子マネー機能部１６を利用することによるログデータは、電子マネー会員番号（携帯）を用いて管理されている。
なお、本実施の形態では、ユーザがバリューを利用するとその利用状況に応じて、ポイント事業者のポイントが発行されてるが、ＩＣカード９を使用した場合は、電子マネー会員番号（カード）に対してポイントが発行され、携帯電話７を使用した場合は電子マネー会員番号（携帯）に対してポイントが発行される。
【００５６】
また、ユーザがＩＣカード９と携帯電話７の両方を所有する場合は、ひも付け部２２によって、ポイント会員番号と電子マネー会員番号（携帯）がひも付けられ、そのひも付け関係がユーザ情報データベース２７に記憶される。
これにより、図５に示したように、ポイント会員番号を介して電子マネー会員番号（携帯）と電子マネー会員番号（カード）もひも付けられる。
このひも付け関係を介して、電子マネー会員番号（携帯）に対して発行されたポイントと、電子マネー会員番号（カード）に対して発行されたポイントの統合が可能になる。
【００５７】
図４に戻り、取り引き情報データベース２８は、取り引き処理部２４が各携帯電話７やＩＣカード９に対して行った処理内容を表すログデータを記憶したデータベースである。
ユーザ情報データベース２７を用いることにより、各電子マネー会員番号で特定されるＩＣカード９や携帯電話７などでの、バリュー残高の推移、現在残高、ポイントを発行したか否か、処理日時、アクセスした電子マネー端末８のＩＤ情報など、電子マネー会員番号毎に行われた情報処理の内容を特定することができる。
【００５８】
図６は、ポイントサーバ１０の機能的な構成を模式的に表したブロック図である。
ポイントサーバ１０は、ポイント処理部３１、ポイントサイト部３２、ユーザ情報データベース３５、ポイント情報データベース３６などを備えている。
【００５９】
ポイント処理部３１は、ポイントの加算や減算など、ポイントの蓄積と使用の管理をユーザ毎に行う機能部である。
ポイント処理部３１は、ポイント端末１１からポイント会員番号と、そのポイントを加算するのか減算するのかを指定するポイント加減算情報を受信する。ポイント加減算情報にはポイント数が付属しており、ポイント処理部３１は、ポイント会員番号で特定される会員のポイント数をポイント加減算情報で指定された分だけ加減算する。
【００６０】
また、ユーザがポイントからバリューへの変換を申請した場合は、バリュー変換分のポイントをそのユーザのポイント数から減算すると共に、減算したポイント数に対応する金額のバリュー生成依頼を電子マネーサーバ２に送信する。
バリュー生成依頼には、ポイント会員番号とバリューに変換するポイント数が含まれており、電子マネーサーバ２は、ポイント会員番号にひも付けられた電子マネー会員番号に対し、ポイント相当額のバリューを発行する。
また、ポイント会員番号に電子マネー会員番号（カード）と、電子マネー会員番号（携帯）がひも付けられている場合は、ＩＣカード９と携帯電話７の何れでバリューを受け取るか指定することも可能である。
【００６１】
更に、ポイント処理部３１は、ユーザがＩＣカード９や携帯電話７でバリューを利用することにより、電子マネーサーバ２でポイントが発生した場合、そのポイント数とポイント会員番号を電子マネーサーバ２から受信し、そのユーザのポイントを加算する。
後述するように、各ユーザのポイントに関する情報は、ポイント情報データベース３６に蓄積されており、ポイント処理部３１は、これにポイント会員番号や加減算したポイント数などの履歴を記録することにより、各ユーザ毎のポイントを処理する。
【００６２】
ポイントサイト部３２は、インターネット４上でポイントサイトを運営する機能部である。
ポイントサイトでは、ポイントサービスへの加入の勧誘を行う他、既にポイント会員となっているユーザに対しては、認証情報（ユーザＩＤ、パスワード）によってユーザを認証し、そのユーザに特化したサービスを提供する。
【００６３】
ポイント会員へのサービスとしては、現在のポイント残高の照会、ポイントからバリューへの変換申請の受け付けなど、ポイントに関するものの他、ポイントとバリューが関連した情報の提供（例えば、ポイントからバリューへの変換比率など）を行う。
本実施の形態では、ポイントからバリューへの変換は１万ポイントを変換単位とし、１万ポイントを１万円分のバリューに変換するものとする。
なお、これは一例であって、バリューに変換するポイント数をユーザが任意に設定できるように構成しても良い。
【００６４】
ユーザ情報データベース３５は、ポイント会員に関する情報をユーザ毎に記憶したデータベースである。
ユーザ情報データベース３５が記憶する情報としては、例えば、ユーザＩＤ、パスワードといった認証情報の他、ユーザの氏名、住所、電子メールアドレスといった個人情報やポイント会員番号も含まれている。また、ユーザＩＤとポイント会員番号は、何れもユーザに一意に設定されたユーザ特定情報であるので、ユーザＩＤとしてポイント会員番号を用いることも可能である。
また、ポイントサーバ１０は、ユーザが登録した電子メールアドレスに宛てて、サービスのお知らせなどを送信することもできる。
【００６５】
ポイント情報データベース３６は、ポイントに関するデータを蓄積するデータベースであり、ポイント処理のログデータなどが記憶されている。
ポイント情報データベース３６では、ポイント会員番号などのユーザ特定情報を用いて、現在のポイント残高、過去に加算したポイント数と加算日時、減算したポイントと減算日時、など、ポイントに関するデータをユーザ毎に管理することができる。
【００６６】
図７は、携帯電話への発券手順を説明するためのフローチャートである。
この手順は、例えば、新規に購入され、まだ電子マネー機能が組み込まれていない携帯電話７に電子マネー機能を組み込む場合に適用される。
以下の処理は、携帯電話７の電話機能部１５が備えたＣＰＵ、電子マネー機能部１６が備えたＣＰＵ、及び電子マネーサーバ２が備えたＣＰＵがそれぞれ所定のプログラムに従って動作するものである。
【００６７】
また、以下のフローチャートからわかるように、電子マネーサーバ２は、ポイント会員番号（ポイントＩＤ情報）と、電子マネー会員番号（電子マネー機能ＩＤ情報）を対応付ける情報処理装置を構成している。
【００６８】
まず、ユーザは、携帯電話７からインターネット４を経由して電子マネーサーバ２が開設している電子マネーサイトにアクセスする。
電子マネーサイトでは、電子マネーに関する各種のサービスを提供しており、ユーザは、これらのサービスから所望のものを選択できるようになっている。
ここでは、発券サービスを選択し、電子マネーサーバ２に対して発券を要求する（ステップ３）。
この際に、氏名、住所、電子メールアドレスなどのユーザ情報も電子マネーサーバ２に送信する。
【００６９】
この発券要求を受け、電子マネーサーバ２は、発券プログラムを携帯電話７に送信する（ステップ１５）。このように、電子マネーサーバ２は、プログラム送信手段を備えている。
この発券プログラムは、携帯電話７に所定の電子マネー会員番号（携帯）を付与する様になっている。
携帯電話７は、発券プログラムを受信する。発券プログラムは、電話機能部１５が備えたＲＡＭ（Ｒａｎｄｏｍ  Ａｃｃｅｓｓ  Ｍｅｍｏｒｙ）などに記憶される。
【００７０】
次に、ユーザは、携帯電話７のディスプレイに表示される操作案内に従ってボタン操作を行い、ＲＡＭなどに記憶されている発券プログラムを実行する（ステップ６）。
これにより、携帯電話７のＣＰＵは、非接触ＩＣチップのＣＰＵと通信を行い、非接触ＩＣチップ内に電子マネー機能部１６を形成する（ステップ９）。この際に、電子マネー機能部１６に、所定の電子マネー会員番号（携帯）が設定される。
【００７１】
携帯電話７のＣＰＵは、非接触ＩＣチップと通信し、非接触ＩＣチップに電子マネー機能部１６が形成されたことを確認すると、完了通知を電子マネーサーバ２に送信する（ステップ１２）。
この完了通知によって、電子マネーサーバ２は、携帯電話７に所定の電子マネー会員番号（携帯）が設定されたことを知ることができる。
【００７２】
電子マネーサーバ２は、携帯電話７から完了通知を受信すると、ユーザ情報データベース２７に、登録されているユーザに、新たに携帯電話７に割り当てられた電子マネー会員番号のユーザを追加し、ユーザから送信されたユーザ情報を電子マネー会員番号に対応付けて記憶することにより、ユーザ情報データベース２７を更新する（ステップ１８）。
以上の処理により、携帯電話７に電子マネー機能部１６を形成すると共に、当該ユーザを電子マネー会員番号と共にユーザ情報データベース２７に登録することができる。
【００７３】
図８は、ポイント会員番号と電子マネー会員番号（携帯）をひも付ける手順を説明するためのフローチャートである。
図７のフローチャートに示した手順で携帯電話７に電子マネー機能部１６を実装した後、当該ユーザがポイントサーバ１０のポイント会員である場合、以下の手順により電子マネー会員番号（携帯）とポイント会員番号をひも付けることができる。
また、携帯電話７に電話機能部１５を実装した時点でポイント会員でない場合も、後ほどポイント会員になった場合に、同様にしてひも付けすることができる。
【００７４】
まず、ユーザは、パーソナルコンピュータなどで構成されたユーザ端末からポイントサーバ１０のポイントサイトにアクセスする。
なお、ユーザ端末として携帯電話７を用い、携帯電話７からポイントサイトにアクセスしても良い。
ユーザは、ポイントサイト上の所定の認証情報入力欄にユーザＩＤ、パスワードなどの認証情報を入力し、ポイントサーバ１０に送信する（ステップ２１）。
【００７５】
ポイントサーバ１０は、ユーザ認証を行った後、ログイン処理を行う。また、認証情報を用いて当該ユーザのポイント会員番号を特定する（ステップ２７）。
ユーザ認証後、ポイントサイトでは当該ユーザに特化したサービスを各種提供するが、ユーザはこれらの中から所望のサービスを選択することができる。
ここでは、ポイント会員番号と電子マネー会員番号（携帯）とのひも付けサービスを選択することにする。
【００７６】
ユーザがひも付けサービスを選択すると、ポイントサーバ１０は、電子マネー会員番号（携帯）を入力する入力画面データをユーザ端末に送信し、ユーザ端末では、この入力画面データを用いて入力画面を表示する。
ユーザは、入力画面から電子マネー会員番号（携帯）を入力し、ポイントサーバ１０に送信する（ステップ２４）。
なお、電子マネー会員番号（携帯）は、携帯電話７のディスプレイに表示することができ、ユーザはこれを参照して電子マネー会員番号（携帯）を入力することができる。
【００７７】
ポイントサーバ１０は、ユーザ端末から電子マネー会員番号（携帯）を受信し、これを、ステップ２７で特定したポイント会員番号と共に電子マネーサーバ２に送信する（ステップ３０）。
【００７８】
電子マネーサーバ２は、ポイントサーバ１０からポイント会員番号と電子マネー会員番号（携帯）を受信する。このように、電子マネーサーバ２は、電子マネー機能ＩＤ情報（電子マネー会員番号）取得手段と、ポイントＩＤ情報（ポイント会員番号）取得手段を備えている。
そして、電子マネーサーバ２（ひも付け部２２）は、ユーザ情報データベース２７で、このポイント会員番号と電子マネー会員番号（携帯）を検索し、これらをひも付ける（ステップ３３）。
このように、電子マネーサーバ２は、電子マネー機能ＩＤ情報とポイントＩＤ情報を対応付ける対応付け手段を備えている。
以上の処理により、ポイント会員番号と電子マネー会員番号（携帯）をひも付けることができる。
【００７９】
次に、図９を用いてポイント会員番号と電子マネー会員番号（携帯）をひも付ける他の手順について説明する。
図８のフローチャートの手順では、ユーザがポイントサイト上で電子マネー会員番号（携帯）を入力したが、以下の手順では、自動的に携帯電話７からポイントサーバ１０へ電子マネー会員番号（携帯）を送信することができる。
【００８０】
また、図８と同じステップに関しては、同じステップ番号を付し、説明を簡略化する。
この場合、ポイントサーバ１０は、電子マネーサーバ２に電子マネー機能ＩＤ情報（電子マネー会員番号）とポイントＩＤ情報（ポイント会員番号）を提供する情報提供装置を構成している。
【００８１】
まず、ユーザは、携帯電話７からインターネット４を介してポイントサーバ１０が開設したポイントサイトにアクセスする。
そして、ポイントサイトにユーザ認証情報（ポイント会員番号特定情報を構成する）を入力し、ポイントサーバ１０に送信する（ステップ２１）。
【００８２】
ポイントサーバ１０（ポイントサイト部３２）は、ユーザ認証情報を受信し、これを用いてユーザ認証を行う。
これにより、ポイントサーバ１０は、ユーザのポイント会員番号を取得することができる（ポイントＩＤ情報取得手段）。
ユーザ認証後、ユーザが利用できるサービスをユーザに対して選択可能に提示し、ここでは、ユーザはポイント会員番号と電子マネー会員番号（携帯）のひも付けサービスを選択するものとする。
【００８３】
ユーザがひも付けサービスを選択すると、ポイントサーバ１０は、携帯電話７に対し、電子マネー会員番号読み取りプログラムを送信する（ステップ４２）。
このプログラムは、携帯電話７のＣＰＵに、電子マネー機能部１６から電子マネー会員番号（携帯）を読み取ってポイントサーバ１０に送信する機能を発揮させるものである。
このように、ポイントサーバ１０は、読み取りプログラム送信手段を備えている。
【００８４】
携帯電話７は、電子マネー会員番号読み取りプログラムを受信し、これを実行する（ステップ３６）。
これにより携帯電話７のＣＰＵは、非接触ＩＣチップのＣＰＵと通信し、電子マネー機能部１６の電子マネー会員番号（携帯）を読み出し、これをポイントサーバ１０に送信する（ステップ３９）。
【００８５】
ポイントサーバ１０は、携帯電話７から電子マネー会員番号（携帯）を受信してポイント会員番号と共に電子マネーサーバ２に送信する（ステップ３０）。
このように、ポイントサーバ１０は、端末ＩＤ受信手段を備えている。
電子マネーサーバ２（ひも付け部２２）は、ポイントサーバ１０からポイント会員番号と電子マネー会員番号（携帯）を受信し、このポイント会員番号と電子マネー会員番号（携帯）をひも付ける（ステップ３３）。
以上のように、ユーザは、電子マネー会員番号（携帯）を入力することなくポイント会員番号と電子マネー会員番号（携帯）をひも付けることができる。
【００８６】
図１０は、ポイントをバリューに変換する手順を説明するためのフローチャートである。
この例では、ユーザはユーザ端末にリーダライタを設置し、更にこのリーダライタにＩＣカード９を設置し、リーダライタを介してＩＣカード９にバリューを加算する。
【００８７】
まず、ユーザは、ユーザ端末からポイントサーバ１０の開設するポイントサイトにアクセスし、ユーザ認証を受ける。これにより、ポイントサーバ１０（ポイントサイト部３２）は、当該ユーザのポイント会員番号を特定することができる。
そして、ユーザは、ポイントサイトが提供するサービスの中からバリュー変換サービスを選択し、更に、バリューに変換するポイント数を指定する。
以上の手続きにより、ユーザはポイントサーバ１０に対してポイントからバリューへの変換を申請する（ステップ３６）。
なお、本実施の形態では、ポイントからバリューへの変換は、１万ポイント単位で行えるようになっている。
【００８８】
次に、ポイントサーバ１０（ポイントサイト部３２）は、当該会員のポイント会員番号と、バリューに変換するポイント数を電子マネーサーバ２に送信する（ステップ４５）。
そして、ポイント１０（ポイント処理部３１）は、バリューに変換する分のポイントを減算するようにポイント情報データベース３６を更新する（ステップ４８）。
【００８９】
一方、電子マネーサーバ２は、ポイントサーバ１０からポイント会員番号と、バリューに変換するポイント数を受信する。
そして、電子マネーサーバ２（バリュー・ポイント計算部２３）は、受信したポイント会員番号にひも付けされている電子マネー会員番号（カード）をユーザ情報データベース２７で検索する。
【００９０】
次に、電子マネーサーバ２（バリュー・ポイント計算部２３）は、予め設定されたポイントからバリューへの変換率を用いて、受信したポイント数からバリューの値を計算する（ステップ５１）。
そして、電子マネーサーバ２は、ユーザがユーザ端末からアクセスして来るまで待機する。
ユーザの電子メールアドレスに宛てて、ポイントから変換したバリューを加算する準備ができた旨の通知を行っても良い。
【００９１】
次に、ユーザがユーザ端末から電子マネーサーバ２の開設する電子マネーサイトにアクセスする。
この際に、ユーザは、電子マネー会員番号（カード）を特定する情報を送信する。リーダライタにＩＣカード９をセットして、電子マネー会員番号（カード）を自動的に電子マネーサーバ２に送信するように構成することもできる。
すると、電子マネーサーバ２は、この電子マネー会員番号（カード）から、ポイントから変換したバリューを加算する準備ができていることを検知し、これをユーザに通知する。
【００９２】
ユーザは、リーダライタにＩＣカード９をセットし、バリューの加算を要求する（ステップ３９）。
ポイントサーバ１０（取り引き処理部２４）は、ＩＣカード９の電子マネー会員番号（カード）を読み取って、これがバリューの加算対象であるＩＣカードであることを確認した後、ポイントから変換した金額分のバリューを加算する加算コマンドを生成してユーザ端末に送信する（ステップ５４）。
【００９３】
ユーザ端末は、電子マネーサーバ２から加算コマンドを受信して、これをリーダライタを介してＩＣカード９に入力する。
ＩＣカード９は、この加算コマンドを実行し、ポイントから変換した金額分のバリューを加算する（ステップ４２）。
一方、電子マネーサーバ２（取り引き処理部２４）は、ポイントから変換したバリューを当該ＩＣカード９にバリューを加算した旨のログデータを生成して取り引き情報データベース２８に書き込み、これを更新する（ステップ５７）。
【００９４】
図１１は、ポイントをバリューに変換する別の手順を説明するためのフローチャートである。
この例では、ユーザはバリューの加算先を携帯電話７とＩＣカード９から選択することができる。
このように、本実施の形態では、単一のポイント会員番号に複数の電子マネー会員番号を紐付けることができ、ポイントから換算したバリューの加算先をこれら複数の電子マネー会員番号で特定される携帯端末から選択することができる。
【００９５】
図１０のフローチャートで説明した例と同様に、ユーザは、ユーザ端末からポイントサイトにアクセスしてユーザ認証を受けた後、変換するポイント数と、バリューの受取先（加算先）を携帯電話７とＩＣカード９の何れにするか指定し、ポイントからバリューへの変換を申請する（ステップ６０）。
【００９６】
これに対し、ポイントサーバ１０（ポイントサイト部３２）は、当該ユーザのポイント会員番号と、バリューに変換するポイント数、及び受取先を指定する情報を電子マネーサーバ２に送信する（ステップ６９）。
そして、ポイントサーバ１０（ポイント処理部３１）は、ポイント情報データベース３６を更新し、当該ユーザのポイントをバリューに変換する分だけ減算する（ステップ７２）。
【００９７】
電子マネーサーバ２は、ポイントサーバ１０から当該ユーザのポイント会員番号とバリューに変換するポイント数、及び受取先を携帯電話７とＩＣカード９の何れにするかという情報を受信する。
このように、電子マネーサーバ２は、ポイント情報（ポイント数とポイント会員番号）を受信するポイント情報受信手段を備えている。
そして、電子マネーサーバ２（バリュー・ポイント計算部２３）は、受取先が携帯電話７である場合には、ポイント会員番号にひも付けられた電子マネー会員番号（携帯）をユーザ情報データベース２７で検索し、受取先が電子マネー端末８である場合には、ポイント会員番号にひも付けられた電子マネー会員番号（カード）をユーザ情報データベース２７で検索する。
【００９８】
次に、電子マネーサーバ２（バリュー・ポイント計算部２３）は、ポイントに対応するバリューの金額を計算する（ステップ７５）。
そして、電子マネーサーバ２は、ユーザがバリューを受け取るためにアクセスするまで待機する。
【００９９】
ユーザは、携帯電話７でバリューを受け取る場合、携帯電話７から電子マネーサーバ２が開設した電子マネーサイトにアクセスし、ＩＣカード９でバリューを受け取る場合は、ＩＣカード９をリーダライタにセットして、ユーザ端末から電子マネーサイトにアクセスする。
【０１００】
ユーザは、電子マネーサイトにアクセスした後、電子マネーサーバ２に対してバリューの加算を要求する（ステップ６３）。
電子マネーサーバ２（取り引き処理部２４）は、受取先の電子マネー会員番号を受信して、正しい受信先であるか確認した後、ポイントから変換した金額分のバリューを加算する加算コマンドを生成し、送信する（ステップ７８）。
このように、電子マネーサーバ２は、コマンド生成手段と、コマンド送信手段を備えている。
【０１０１】
ユーザ側では、加算コマンドを実行し、バリューの加算処理が行われる（ステップ６６）。
より詳細には、受取先が携帯電話７である場合は、携帯電話７の電話機能部１５から電子マネー機能部１６に加算コマンドが入力され、電子マネー機能部１６にて実行される。これにより、電子マネー機能部１６にバリューが加算される。
【０１０２】
また、受取先がＩＣカード９である場合は、ユーザ端末からリーダライタを介してＩＣカード９に加算コマンドが入力され、ＩＣカード９の電子マネー機能部１９にて実行される。これによりＩＣカード９にバリューが加算される。
更に、受取先を携帯電話７に指定し、ユーザ端末に設置したリーダライタに携帯電話７をセットし、ユーザ端末を介して携帯電話７にバリューを加算することも可能である。
【０１０３】
本実施の形態では、ポイントサイトで、携帯電話７とＩＣカード９の何れでバリューを受け取るか指定したが、これに限定せず、ユーザが電子マネーサイトにアクセスした際に指定するように構成することもできる。
【０１０４】
図１２は、ポイントをバリューに変換する更に別の手順を説明するためのフローチャートである。
この例では、ユーザは、ポイントサイトでバリューの受け取りを行うことができ、電子マネーサイトにアクセスし直す必要が無い。
【０１０５】
まず、ユーザはポイントサイトにアクセスする。
この際に、ＩＣカード９でバリューを受け取る場合は、リーダライタを備えたユーザ端末からアクセスし、携帯電話７でバリューを受け取る場合は、携帯電話７でアクセスすると、バリューの受け取り申請の後そのままバリューを受け取ることができるので便利である。
【０１０６】
ユーザ端末でポイントサイトにアクセスし、携帯電話７でバリューを受け取る場合、又はその逆の場合は、バリュー受け取り時に接続先を受取先に切り替えることになる。
即ち、ユーザ端末でバリューの受け取りを申請し、携帯電話７で受け取る場合は、申請後に携帯電話７でポイントサイトにアクセスし、バリューの受け取りなどする。
【０１０７】
ここでは、ユーザ端末でポイントサイトにアクセスし、ＩＣカード９でバリューを受け取る場合を考える。
ユーザは、ユーザ端末からポイントサイトにアクセスし、ユーザ認証をした後、バリューに変換するポイント数とバリューの受取先をポイントサーバ１０に送信して指定し、ポイントからバリューへの変換を申請する（ステップ８４）。
ここでは、受取先をＩＣカード９に指定する場合について説明する。
【０１０８】
ポイントサーバ１０（ポイントサイト部３２）は、ユーザ端末から、ポイント会員番号、バリューに変換するポイント数、及び受取先を指定する情報を受信し、電子マネーサーバ２に送信する（ステップ９０）。
【０１０９】
電子マネーサーバ２（バリュー・ポイント計算部２３）は、ポイント会員番号を用いてユーザ情報データベース２７を検索し、ひも付け関係から当該ユーザの電子マネー会員番号（カード）を取得する。
なお、携帯電話７が受取先として指定された場合は電子マネー会員番号（携帯）を検索する。
【０１１０】
更に、電子マネーサーバ２（バリュー・ポイント計算部２３）は、ポイント数からＩＣカード９に加算するバリューの金額を計算する。
そして、電子マネーサーバ２（取り引き処理部２４）は、当該金額のバリューをポイントから変換して当該電子マネー会員番号（カード）に関して加算する旨のログデータを取り引き情報データベース２８に書き込み記録する（ステップ９９）。
そして、電子マネーサーバ２は、変換分の金額のバリューの加算コマンドを生成する許可をポイントサーバ１０に送信する（ステップ１０２）。
その際に、電子マネー会員番号（カード）もポイントサーバ１０に送信する。
【０１１１】
ポイントサーバ１０（ポイントサイト部３２）は、電子マネーサーバ２から加算コマンドの生成許可を受信し、変換金額分の加算を行う加算コマンドを生成してユーザ端末に送信する（ステップ９３）。
その際に、ＩＣカード９の電子マネー会員番号（カード）をユーザ端末から取得し、電子マネーサーバ２から送信されてきたものと一致するか確認する。一致する場合は処理を続行し、一致しない場合は処理を中止する。
【０１１２】
電子マネー会員番号（カード）が一致する場合、ポイントサーバ１０（ポイント処理部３１）は、当該ポイント会員番号に関して、変換分のポイントを減算するようにポイント情報データベース３６を更新する（ステップ９６）。
【０１１３】
一方、ユーザ端末は、ポイントサーバ１０から加算コマンドを受信し、リーダライタを介してＩＣカード９に入力する。
ＩＣカード９では、電子マネー機能部１９がこの加算コマンドを実行し、バリューを加算する（ステップ８７）。
これによって、ユーザは、ポイントをバリューに変換して受け取ることができる。
【０１１４】
以上、図１１、図１２のフローチャートを用いて、受取先を指定してポイントをバリューに変換し、受け取る場合について説明したが、これは、受取先を携帯電話７とＩＣカード９から二者択一的に選択するものに限定するものではなく、例えば、１万ポイント分のバリューを携帯電話７で受け取り、２万ポイント分のバリューをＩＣカード９で受け取るといったように、受取先毎に受取金額を指定できるように構成することもできる。
【０１１５】
図１３は、ユーザが利用したバリューに対してポイントを発行する手順について説明するためのフローチャートである。
まず、電子マネーサーバ２は、定期的にバッチ処理を行うなどして取り引き情報データベース２８を検索し、携帯電話７やＩＣカード９で使用されたバリューに応じて発生するポイント数を計算する（ステップ１０５）。
ポイント数の計算は、電子マネー会員番号毎に行われ、前回にポイント発行のバッチ処理を行ってから、今回ポイント発行のバッチ処理を行うまでの間に蓄積されたログデータを対象に行われる。
【０１１６】
本実施の形態では、ポイントの発行は、バリューでの決済金額に対し発行され、例えば、バリュー２００円の決済に対し１ポイント発行するなど、ポイントの発行比率は予め決められている。
なお、バリューの加算金額に応じてポイントを発行しても良いし、加算金額と決済金額の両方に対してポイントを発行しても良い。
【０１１７】
次に、電子マネーサーバ２は、ユーザ情報データベース２７を検索してポイントの発行対象となった電子マネー会員番号にひも付けられているポイント会員番号を取得し、ポイント会員番号と発行したポイントの対応付けを行う。
そして、電子マネーサーバ２は、対応付けたポイント会員番号とポイントをポイントサーバ１０に送信する（ステップ１０８）。
【０１１８】
なお、１つのポイント会員番号に複数の電子マネー会員番号がひも付けられている場合、電子マネーサーバ２は、これら複数の電子マネー会員番号に対して発行されたポイントを統合してポイントサーバ１０に送信しても良いし、あるいは個別にポイントサーバ１０に送信しても良い。
【０１１９】
ポイントサーバ１０は、電子マネーサーバ２からポイント会員番号とポイント数を受信する（ステップ１１１）。
そして、ポイントサーバ１０は、ポイント情報データベース３６において、受信したポイント会員番号に対して、電子マネーサーバ２が発行したポイント数を加算し、ポイント情報データベース３６を更新する（ステップ１１４）。
以上の処理により、ユーザは、携帯電話７やＩＣカード９でのバリュー利用に対して、ポイント事業者が管理するポイントを得ることができる。
【０１２０】
図１４は、電子マネーサーバ２のハードウェア的な構成の一例を示した図である。
ＣＰＵ１２１は、ＲＯＭ（Ｒｅａｄ  Ｏｎｌｙ  Ｍｅｍｏｒｙ）１２２に記憶されているプログラム、又は記憶部１２８からＲＡＭ１２３にロードされたプログラムに従って各種の処理を実行する。
【０１２１】
ＣＰＵ１２１は、例えば、図７〜図１３で説明したように、ポイント会員番号と電子マネー会員番号（カード）をひも付け、更に、ポイント会員番号と電子マネー会員番号（携帯）をひも付けたり、ポイントからバリューへの変換を行って、携帯電話７やＩＣカード９にバリューの加算を行ったり、あるいは、携帯電話７やＩＣカード９でのバリューの利用に伴ってポイントを発行し、ポイントサーバ１０に通知したりなど、ポイント会員番号と電子マネー会員番号のひも付けを用いた情報処理を行う。
【０１２２】
ＣＰＵ１２１、ＲＯＭ１２２、及びＲＡＭ１２３は、バス１２４を介して相互に接続されている。
このバス１２４には、入出力インターフェース１２５も接続されており、入出力インターフェース１２５を介して、入力部１２６、出力部１２７、記憶部１２８、通信部１２９、ドライブ１３０などがＣＰＵ１２１に接続している。
【０１２３】
入力部１２６には、例えば、キーボードやマウスなどの入力装置が配設されており、電子マネーサーバ２の管理者は文字情報や各種コマンド、その他の情報を電子マネーサーバ２に入力することができる。
出力部１２７は、例えば、ＣＲＴ（Ｃａｔｈｏｄｅ−ｒａｙ  Ｔｕｂｅ）、ＬＣＤ（Ｌｉｑｕｉｄ  Ｃｒｙｓｔａｌ  Ｄｉｓｐｌａｙ）、プラズマディスプレイなどよりなる画像表示装置やプリンタなどの印刷装置が配設されており、電子マネーサーバ２の管理者は、文字情報やその他の情報を出力することができる。
これら入力部１２６や出力部１２７を用いて、電子マネーサーバ２の管理者は、電子マネーサーバ２のメンテナンスや、プログラムのバージョンアップなどを行うことができる。
【０１２４】
記憶部１２８は、ハードディスクなどの記憶装置から構成され、ＣＰＵ１２１に図７〜図１３で示したような電子マネーに関する情報処理を行う機能を実現する情報処理プログラムや、電子マネーサーバ２を制御する基本的なプログラムであるＯＳ（Ｏｐｅｒａｔｉｎｇ  Ｓｙｓｔｅｍ）、及びユーザ情報データベース２７、取り引き情報データベース２８などが格納されている。
この情報処理プログラムをＣＰＵ１２１で実行すると、発券部２１、ひも付け部２２、バリュー・ポイント計算部２３、取り引き処理部２４などが構成される。
【０１２５】
通信部１２９は、モデム、ターミナルアダプタなどの通信制御装置から構成され、ネットワークに接続している。
ＣＰＵ１２１は、通信部１２９を介してポイントサーバ１０やユーザ端末、携帯電話７、その他のサーバ装置や端末装置などと通信を行う。
【０１２６】
ドライブ１３０には、必要に応じて磁気ディスク、光ディスク、光磁気ディスク、又はメモリカードなどの記憶媒体が適宜装着される。
ＣＰＵ１２１は、ドライブ１３０を用いてこれらの記憶媒体を駆動し、プログラムやデータの読み出しや書き込みを行うことができる。
【０１２７】
ポイントサーバ１０やユーザ端末のハードウェア的な構成は、基本的に電子マネーサーバ２と同様である。
ポイントサーバ１０は、ユーザ情報データベース３５、ポイント情報データベース３６を記憶・管理すると共に、ポイント処理部３１やポイントサイト部３２を構成するためのプログラムを実行する。
ユーザ端末は、インターネット４を介してポイントサーバ１０や電子マネーサーバ２と通信する機能を有する他、リーダライタを装備してＩＣカード９と通信する機能も備えている。
【０１２８】
以上に説明した本実施の形態により以下のような効果を得ることができる。
（１）携帯電話７などの携帯端末に電子マネー機能部１６を組み込んだ後、携帯電話７のユーザが有するポイント会員番号と、電子マネー機能部１６に設定された電子マネー会員番号（携帯）をひも付けることができる。
（２）携帯電話７に読み取りプログラムをダウンロードして実行することにより、携帯電話７は、電子マネー会員番号（携帯）を自動的にポイントサーバ１０などに送信することができる。
【０１２９】
（３）ユーザが携帯電話７やＩＣカード９など、複数の電子マネー会員番号を有する場合、これらを１つのポイント会員番号にひも付けることができる。
（４）１つのポイント会員番号に複数の電子マネー会員番号をひも付けることにより、ポイントから変換したバリューの受取先を、これら複数の電子マネー会員番号から選択することができる。
（５）１つのポイント会員番号に複数の電子マネー会員番号をひも付けることにより、これら複数の電子マネー会員番号を対象に発行されたポイントを、ポイントサーバ１０で統括管理することができる。
【０１３０】
なお、本実施の形態では、ポイント会員番号と電子マネー会員番号のひも付けや、ポイントとバリューの変換処理を電子マネーサーバ２で行ったが、これに限定するものではなく、これらの機能を備えた情報処理装置を別に備えても良いし、あるいはこれらの機能をポイントサーバ１０に持たせることも可能である。
【図面の簡単な説明】
【０１３１】
【図１】本実施の形態の情報処理システムの構成を模式的に表したブロック図である。
【図２】携帯電話の機能的な構成を模式的に表したブロック図である。
【図３】ＩＣカードの機能的な構成を模式的に表したブロック図である。
【図４】電子マネーサーバの機能的な構成を模式的に表したブロック図である。
【図５】ポイント会員番号と電子マネー会員番号（携帯）、及び電子マネー会員番号（カード）のひも付け関係を示した図である。
【図６】ポイントサーバの機能的な構成を模式的に表したブロック図である。
【図７】携帯電話への発券手順を説明するためのフローチャートである。
【図８】ポイント会員番号と電子マネー会員番号（携帯）をひも付ける手順を説明するためのフローチャートである。
【図９】ポイント会員番号と電子マネー会員番号（携帯）をひも付ける他の手順を説明するためのフローチャートである。
【図１０】ポイントをバリューに変換する手順を説明するためのフローチャートである。
【図１１】ポイントをバリューに変換する別の手順を説明するためのフローチャートである。
【図１２】ポイントをバリューに変換する更に別の手順を説明するためのフローチャートである。
【図１３】ユーザが使用したバリューに対してポイントを発行する手順について説明するためのフローチャートである。
【図１４】電子マネーサーバのハードウェア的な構成の一例を示した図である。
【符号の説明】
【０１３２】
１  情報処理システム
２  電子マネーサーバ
４  インターネット
５  基地局
６  電話回線網
７  携帯電話
８  電子マネー端末
９  ＩＣカード
１０  ポイントサーバ
１１  ポイント端末
【図１】
2006053933.tif 000003
【図２】
2006053933.tif 000004
【図３】
2006053933.tif 000005
【図４】
2006053933.tif 000006
【図５】
2006053933.tif 000007
【図６】
2006053933.tif 000008
【図７】
2006053933.tif 000009
【図８】
2006053933.tif 000010
【図９】
2006053933.tif 000011
【図１０】
2006053933.tif 000012
【図１１】
2006053933.tif 000013
【図１２】
2006053933.tif 000014
【図１３】
2006053933.tif 000015
【図１４】
2006053933.tif 000016